(57)【要約】ワイアレスローカルエリアネットワークをプランニングする方法及び装置が開示される。様々な具体例では、ＷＬＡＮの現場に関するフロアプランデータ、受信範囲データ、及び／又はキャパシティデータなどのデータを受け取る。そのようなデータに基づいて、ＷＬＡＮアクセスポイントの特徴を決定することができる。その例としては、アクセスポイントの数量、配置、及び／又は設定が挙げられる。【特許請求の範囲】
【請求項１】
ワイアレスローカルエリアネットワークの現場に関するフロアプランデータを受け取り、；
ワイアレスローカルエリアネットワークの現場に関する受信範囲データを受け取り、；
ワイアレスローカルエリアネットワークの現場に関するキャパシティデータを受け取り、；
少なくともフロアプランデータ、受信範囲データ、及びキャパシティデータに基づいて、ワイアレスローカルエリアネットワークの複数のアクセスポイントの数量、配置、及び設定を決定することを含む、
ワイアレスローカルエリアネットワークをプランニングする方法。
【請求項２】
前記フロアプランデータが取り込まれる請求項１に記載の方法。
【請求項３】
前記フロアプランデータがコンピュータを介して手動で取り出される請求項１に記載の方法。
【請求項４】
前記フロアプランデータの中の物体が電磁波減衰要因と関連付けられる請求項１に記載の方法。
【請求項５】
前記フロアプランデータの中の物体が、ワイアレスローカルエリアネットワークの技術標準に依存する電磁波減衰要因と関連付けられる請求項４に記載の方法。
【請求項６】
前記受信範囲データが、複数のアクセスポイントによって提供される現場の受信範囲エリアを示す請求項１に記載の方法。
【請求項７】
前記受信範囲データが、少なくともフロアプランデータとともに示される請求項６に記載の方法。
【請求項８】
前記受信範囲データが、ワイアレスローカルエリアネットワークの技術標準に依存する請求項６に記載の方法。
【請求項９】
少なくとも一つの前記受信範囲エリアが、ワイアレスローカルエリアネットワークの一つ以上の技術標準をサポートする請求項８に記載の方法。
【請求項１０】
ワイヤリングクローゼットデータを受け取ることをさらに含み、該ワイヤリングクローゼットデータは、ワイアレスローカルエリアネットワークの現場における一つ以上の分配システムスイッチに対する一つ以上の位置を示し、該一つ以上の分配システムスイッチは、複数のアクセスポイントに接続する、
請求項１に記載の方法。
【請求項１１】
前記ワイアレスローカルエリアネットワークの複数のアクセスポイントの数量、配置、及び設定の決定は、さらに、少なくともワイヤリングクローゼットデータに基づく、請求項１０に記載の方法。
【請求項１２】
前記ワイヤリングクローゼットデータには、複数のアクセスポイントへの豊富な接続データが含まれる請求項１１に記載の方法。
【請求項１３】
少なくとも前記フロアプランデータ、受信範囲データ、及びキャパシティデータに基づいて、ワイアレスローカルエリアネットワークの現場における一つ以上の分配システムスイッチの数量、配置、及び設定の少なくとも一つを決定することをさらに含みし、一つ以上の分配システムスイッチは、複数のアクセスポイントに接続する、
請求項１に記載の方法。
【請求項１４】
前記一つ以上の分配システムスイッチと複数のアクセスポイントとの間の接続を決定することをさらに含む、
請求項１３に記載の方法。
【請求項１５】
前記キャパシティデータには、複数のアクセスポイントによって提供されるステーション用の一つ以上のスループットレートが含まれる、請求項１に記載の方法。
【請求項１６】
前記キャパシティデータには、複数のアクセスポイントによって提供されるステーション用の一つ以上の平均の好ましい接続レートが含まれる、請求項１に記載の方法。
【請求項１７】
前記キャパシティデータには、複数のアクセスポイントによって提供される一又はそれより多いステーションの数量が含まれる、請求項１に記載の方法。
【請求項１８】
前記キャパシティデータには、複数のアクセスポイントによって提供される一又はそれより多い動作中の端末の数量が含まれる、請求項１７に記載の方法。
【請求項１９】
前記キャパシティデータには、複数のアクセスポイントによって提供される一又はそれより多い全てのステーションの数量が含まれる、請求項１７に記載の方法。
【請求項２０】
接続データを受け取ることをさらに含む、
請求項１に記載の方法。
【請求項２１】
前記ワイアレスローカルエリアネットワークの複数のアクセスポイントの数量、配置、及び設定の決定は、さらに、少なくとも前記接続データに基づく、請求項２０に記載の方法。
【請求項２２】
前記接続データには、複数のアクセスポイントの許容されるチャンネルが含まれる、請求項２０に記載の方法。
【請求項２３】
前記接続データには、複数のアクセスポイントのビーコンのための一つ以上の最小レートが含まれる、請求項２０に記載の方法。
【請求項２４】
前記接続データには、複数のアクセスポイントのプローブ反応のための一つ以上の最小レートが含まれる、請求項２０に記載の方法。
【請求項２５】
前記少なくともフロアプランデータ、受信範囲データ、及びキャパシティデータに基づいて決定されるワイアレスローカルエリアネットワークの複数のアクセスポイントの設定には、複数のアクセスポイントのマルチホーミングが含まれる、請求項１に記載の方法。
【請求項２６】
前記少なくともフロアプランデータ、受信範囲データ、及びキャパシティデータに基づいて決定されるワイアレスローカルエリアネットワークの複数のアクセスポイントの設定には、複数のアクセスポイントのパワーレベルが含まれる、請求項１に記載の方法。
【請求項２７】
前記少なくともフロアプランデータ、受信範囲データ、及びキャパシティデータに基づいて決定されるワイアレスローカルエリアネットワークの複数のアクセスポイントの設定には、複数のアクセスポイントのチャンネル割り当てが含まれる、請求項１に記載の方法。
【請求項２８】
前記少なくともフロアプランデータ、受信範囲データ、及びキャパシティデータに基づいて決定されるワイアレスローカルエリアネットワークの複数のアクセスポイントの配置は、コンピュータを介して手動で調整可能である、請求項１に記載の方法。
【請求項２９】
前記少なくともワイアレスローカルエリアネットワークの手動で調整された配置に基づいて、複数のアクセスポイントの数量及び設定の少なくとも一つを決定することをさらに含む、
請求項２８に記載の方法。
【請求項３０】
前記ワイアレスローカルエリアネットワークの複数のアクセスポイントの少なくとも一つの手動で調整された配置に少なくとも基づいて、複数のアクセスポイントのうちの他の少なくとも一つのアクセスポイントの配置を決定することをさらに含む、
請求項２８に記載の方法。
【請求項３１】
前記ワイアレスローカルエリアネットワークの少なくとも一つの手動で調整されたアクセスポイントの配置に基づいて、ワイアレスローカルエリアネットワークの現場の受信範囲データ及びキャパシティデータのうちの少なくとも一つを決定することをさらに含む、
請求項２８に記載の方法。
【請求項３２】
前記ワイアレスローカルエリアネットワークの複数のアクセスポイントの少なくとも数量及び配置を表示することをさらに含む、
請求項１に記載の方法。
【請求項３３】
前記ワイアレスローカルエリアネットワークの複数のアクセスポイントの一以上の数量及び設定をコンピュータを介して手動で調整するのを可能とすることをさらに含む、
請求項１に記載の方法。
【請求項３４】
少なくとも前記手動調整に基づいて、複数のアクセスポイントの数量、配置、及び設定の少なくとも一つを決定することをさらに含む、
請求項３３に記載の方法。
【請求項３５】
少なくとも前記手動調整に基づいて、ワイアレスローカルエリアネットワークの現場の受信範囲データ及びキャパシティデータの少なくとも一つを決定することをさらに含む、
請求項３３に記載の方法。
【請求項３６】
既存のアクセスポイントデータを受け取ることをさらに含む、
請求項１に記載の方法。
【請求項３７】
前記ワイアレスローカルエリアネットワークの複数のアクセスポイントの数量、配置、及び設定の決定は、さらに、少なくとも既存のアクセスポイントデータに基づく、請求項３６に記載の方法。
【請求項３８】
少なくとも前記ワイアレスローカルエリアネットワークの複数のアクセスポイントの数量、配置、及び設定に基づいて、作業指示データを生成することをさらに含む、
請求項１に記載の方法。
【請求項３９】
前記作業指示データには、ワイアレスローカルエリアネットワークの複数のアクセスポイントの導入手順が含まれる、請求項３８に記載の方法。
【請求項４０】
前記作業指示データには、ワイアレスローカルエリアネットワークの複数のアクセスポイントに接続する一つ以上の分配システムスイッチの導入手順が含まれる、請求項３９に記載の方法。
【請求項４１】
ワイアレスローカルエリアネットワークの現場において一つ以上の分配システムスイッチに分配システムスイッチの設定をプッシュ配信することをさらに含み、該一つ以上の分配システムスイッチは、複数のアクセスポイントに接続する、
請求項１に記載の方法。
【請求項４２】
前記分配システムスイッチ設定には、管理設定が含まれる、請求項４１に記載の方法。
【請求項４３】
前記管理設定には、ＨＴＴＰＳ設定、テルネット設定、ＳＮＭＰ設定、ロギング設定、及びタイムゾーン設定のうちの一つ以上が含まれる、請求項４２に記載の方法。
【請求項４４】
前記分配システムスイッチ設定には、ＩＰサービス設定が含まれる、請求項４１に記載の方法。
【請求項４５】
前記ＩＰサービス設定には、スタティックルート設定、ＩＰエイリアス設定、ＤＮＳ設定、及びＮＴＰ設定の一つ以上が含まれる、請求項４４に記載の方法。
【請求項４６】
前記分配システムスイッチ設定には、認証設定が含まれる、請求項４１に記載の方法。
【請求項４７】
前記分配システムスイッチ設定には、分配システムスイッチポート設定が含まれる、請求項４１に記載の方法。
【請求項４８】
前記分配システムスイッチポート設定には、複数のアクセスポイントと接続された分配システムスイッチポートの設定が含まれる、請求項３７に記載の方法。
【請求項４９】
前記分配システムスイッチ設定には、分配システムスイッチＶＬＡＮ設定が含まれる、請求項４１に記載の方法。
【請求項５０】
前記ＶＬＡＮ設定には、ＶＬＡＮ名称設定、トンネルアフィニティー設定、ＩＰアドレス設定、エージングタイム設定、分配システムスイッチポートＶＬＡＮ設定、ＳＴＰ設定、ＩＧＭＰ設定、及び静的マルチキャストポート設定のうちの一つ以上が含まれる、請求項４９に記載の方法。
【請求項５１】
前記分配システムスイッチポートＶＬＡＮ設定は、ＶＬＡＮにおける分配システムスイッチポートのメンバーシップを指定する、請求項５０に記載の方法。
【請求項５２】
前記複数のアクセスポイントの一つ以上のアクセスポイントに、アクセスポイント設定をプッシュ配信することをさらに含む、
請求項１に記載の方法。
【請求項５３】
前記アクセスポイント設定には、ＳＳＩＤ設定が含まれる、請求項５２に記載の方法。
【請求項５４】
前記ＳＳＩＤ設定には、ビーコンを送られたＳＳＩＤ設定、暗号化されたデータＳＳＩＤ設定、及び暗号化されないデータＳＳＩＤ設定の少なくとも一つが含まれる、請求項５３に記載の方法。
【請求項５５】
前記アクセスポイント設定には、暗号化設定が含まれる、請求項５２に記載の方法。
【請求項５６】
前記暗号化設定には、暗号化標準設定及び暗号化キー設定のうちの少なくとも一つが含まれる、請求項５５に記載の方法。
【請求項５７】
前記アクセスポイント設定には、８０２．１１の設定が含まれる、請求項５２に記載の方法。
【請求項５８】
前記８０２．１１の設定には、ビーコン間隔設定、ＤＴＩＭ時間設定、フラグメントスレッショルド、ロングリトライ限界設定、最大送信ライフタイム設定、最大受信ライフタイム設定、ＲＴＳ／ＣＴＳ設定、ショートリトライ限界設定、プリアンブル設定、送信パワー設定、チャンネル数設定、及び最小送信レート設定のうちの少なくとも一つが含まれる、請求項５３に記載の方法。
【請求項５９】
ワイアレスローカルエリアネットワークの現場に関してのフロアプランデータの受信を実行するコードと、；
ワイアレスローカルエリアネットワークの現場に関しての受信範囲データの受信を実行するコードと、；
ワイアレスローカルエリアネットワークの現場に関してのキャパシティデータの受信を実行するコードと、；
少なくともフロアプランデータ、受信範囲データ、及びキャパシティデータに基づいて、ワイアレスローカルエリアネットワークの複数のアクセスポイントの数量、配置、及び設定の決定を実行するコードと、を備える、
ワイアレスローカルエリアネットワークをプランニングするコード。
【請求項６０】
ワイアレスローカルエリアネットワークの現場に関してのフロアプランデータを受け取る手段と、；
ワイアレスローカルエリアネットワークの現場に関しての受信範囲データを受け取る手段と、；
ワイアレスローカルエリアネットワークの現場に関してのキャパシティデータを受け取る手段と、；
少なくともフロアプランデータ、受信範囲データ、及びキャパシティデータに基づいて、ワイアレスローカルエリアネットワークの複数のアクセスポイントの数量、配置、及び設定を決定する手段と、を備える、
ワイアレスローカルエリアネットワークをプランニングする装置。
【発明の詳細な説明】
【背景技術及び発明が解決しようとする課題】
【０００１】
ワイアレスローカルエリアネットワーク（ＷＬＡＮ）の事前展開プランニングにおいては、一般に、手動的な現地調査が必要となる。手動的な現地調査では、ＲＦ信号強度を測定したりパス損失レベルを測定したりすることや、アクセスポイントを設置するのに適切なエリアを評価することを含めて、高価で且つ時間がかかり過ぎるＷＬＡＮ現場の評価を行うことが必要となる。さらに、現地調査は、受信範囲を重視するものであり、キャパシティを重視するものではない。たとえアクセスポイントが調査の結果に従って展開（配置）されたものであったとしても、ＷＬＡＮは、ＷＬＡＮの現場全体に亘る軽いスループットを満足し得るが、その一方、キャパシティの要求によって容易に圧倒されてしまうものであり得る。従って、手動的な現地調査に関連する労働など、事前展開プランニングに関連する労働を減らすことは望ましいことであろう。
【０００２】
ＷＬＡＮのアクセスポイントの展開（デプロイメント）を促進した事前展開想定は、ＷＬＡＮの動的な環境では、すぐに無意味なものとなり得る。ＷＬＡＮユーザーのキャパシティ、位置、及びアプリケーションについての想定は、従来の手動的な調査又は従来のシミュレーションの時代からは格段に変貌し得る。従って、アクセスポイントの設定を迅速に調整できることにより、ユーザーの変化の要求に対してＷＬＡＮを適応させることができる。急速に変化するユーザの要求は、目下実行されるＷＬＡＮの正確な状況を保守することを必要としている。最も簡単なワイアレス展開を除いては、何においても、異なるチャンネルの割り当て、パワーレベル、位置等々とともに、複数のアクセスポイントの目下の設定の正確な記録を保守することが重要である。たった一つのアクセスポイントではない複数のアクセスポイントが、たった一回ではない複数回設定を変更するのを経験する場合には、アクセスポイント設定のいかなる集中的な記録も存在し得ないか、より悪くは、不正確であり得る。設定記録が存在しない場合には、アクセスポイント一つ一つの設定を確認する必要があり得る。設定記録が不正確である場合には、アクセスポイントの設定の修正は、ＷＬＡＮの性能を高めるどころか、悪化させ得る。従って、ＷＬＡＮアクセスポイントの設定を保守するのに関連する諸経費を減らすことは、望ましいことであり得る。
【発明の開示】
【課題を解決するための手段】
【０００３】
ワイアレスローカルエリアネットワークをプランニングする方法及び装置が開示される。
【０００４】
様々な具体例では、ＷＬＡＮの現場に関するフロアプランデータ、受信範囲データ、及び／又はキャパシティデータなどのデータを受け取る。ＷＬＡＮアクセスポイントの特徴は、そのようなデータに基づいて決定可能である。その例としては、アクセスポイントの数量、配置、及び／又は設定が挙げられる。
【発明を実施するための最良の形態】
【０００５】
手動的な現地調査は、フロアプラン及びキャパシティを考慮するＷＬＡＮシミュレーションに置き換えることができる。ＷＬＡＮシミュレーションにおいては、様々な物理的要因が考慮される。様々な物理的要因とは、例えば、：建築上の要因（例えば、建物の大きさ、建物のトポロジー、障害物、及びオフィスの大きさ）、異なる物体（例えば、壁、窓、キュービクル（パーティションで区切られたスペース）、ドア、エレベーター、その他の固定された物体）及び／又は素材の種類（例えば、空きスペース、金属、コンクリート、石膏、布地パーティション）、及び干渉源（例えば、電子レンジ、コードレス電話、ブルートゥース機器）に関する減衰要因である。他の受信範囲要因には、送信機のパワー、目標とする通信レートのレシーバー感度、及び目標とする操作上のリンクマージンが含まれる。
【０００６】
ＷＬＡＮシミュレーションは、受信範囲に限らず、全てのユーザーに共有されるＷＬＡＮのバンド幅キャパシティを計上する。空気は切り換えられる媒体ではなく共有される媒体であるので、例えば一つのアクセスポイントなどのように最も単純な展開であるほかは、受信範囲に焦点を当てることでは理想的な結果を生むことができない。
【０００７】
キャパシティ計算では、エリアをアプリケーション及びユーザーグループと結び付けて、アプリケーションのバンド幅（容量）を考慮することができる。単純なウェブブラウジング及び電子メールアプリケーションは、企業資源プランニング又は顧客関係管理アプリケーションほど無線の活動が活発でない傾向がある。エリアのユーザーのいくつかのグループが異なるバンド幅をネットワークに要求するならば、ＷＬＡＮ現場の特定のエリアは、複数の受信範囲エリアを含むことができる。例えば、技術的なワークグループの技術的なアプリケーションは、販売及びマーケティングに用いられる事務的なアプリケーションよりも、バンド幅が集中的であり得る。また、ユーザーごとのバンド幅、ユーザーの数、ユーザーごとの動作レート、（例えば、ＭＡＣの非効率性及びエラー訂正のオーバーヘッドなどの）オーバーヘッドの効率性、ワイアレス標準規格（８０２．１１ａ／ｂ／ｇ）、作業する国、及びワイアレス標準規格用の基準接続レートも同様に考慮される。適当なバンド幅及び適当な受信範囲は、十分な数のアクセスポイントを算定することによって確保可能である。マージンは、未来の成長、新たなユーザー、及びユーザーのエリア内のローミングを可能とすべく設計される。
【０００８】
アクセスポイントの配置及び最終設定が決定される。アクセスポイントの送信パワー及びアクセスポイント間の距離を調整することによって、ユーザー密度及びセルサイズが調整される。より低いアクセスポイント設定を有するマイクロセルは、アクセスポイントごとにより少ないユーザー間でより多くのバンド幅を共有し、より近接して計画することができる。一方、アクセスポイントから遠ざかると、信号強度が減少し、キャパシティが低下する。また、最小の接続レート、ユーザーが別のアクセスポイントと接続しなければならなくなる最低のデータ転送レートをサポートすることができる最低のＲＦ信号強度も、同様に潜在的に調整可能である。これにより、送信により多くの送信時間を必要とし且つ他のユーザーのスループットを遅くするような遅いユーザーを防止することができる。アクセスポイントの送信パワーを調整することで、周波数の再使用融通性を増大させ、同一チャネルの干渉を減少させることができる。アクセスポイント間でのチャンネル割り当てが最適化され、チャネルコンフリクトを自動的に識別し、チャンネルを割り当てる。アクセスポイントへの自動的なチャンネル割り当ては、８０２．１１ｂの３つの非重複チャンネルと８０２．１１ａの８つ以上の非重複チャンネルを利用して、同一チャネルの干渉を最小化し、スループットを増加させる。
【０００９】
アクセスポイントを追加する、若しくは既存のアクセスポイントの設定を調整すると、周辺のアクセスポイントに影響を与える。従って、新しいアクセスポイントを追加し、又はアクセスポイント設定を変更すると、チャンネル割り当て及び全てのアクセスポイントのパワーレベルを自動的に再計算することとなる。システムレベルで全てのアクセスポイントを調整し、ＲＦトポロジーを再シミュレーションすることで、十分なバンド幅が確認される。この種のプランニングは、新規のＷＬＡＮ展開の展開をモデルすることができるだけでなく、既に展開されたＷＬＡＮに新しいアクセスポイントの追加をモデルすることもできる。
【００１０】
シミュレーションは、アクセスポイントの導入及び／又は分配システムスイッチの導入のために、フロアプランの上に実際の物理的位置及び寸法を描く導入プランを含む作業指示を生成することができる。
【００１１】
ＲＦ測定は、予期されるＷＬＡＮ性能と実際のものとの違いを検査可能である。事前実施が計画された実際のＷＬＡＮ性能の立証をするのに、ネットワークアクセスの機能停止又は遅いバンド幅（処理能力）をユーザーが経験するのを受けてユーザーが不満を感じるのを待つべきでない。さらに、これらの測定は、アクセスポイントの将来の展開又は既存のアクセスポイントの設定の調整を手直しすることができる。
【００１２】
定期的なＲＦ測定は、事前展開の際に計画された設定の要素（例えば、アクセスポイント配置、つながったポート、予期されるＲＦ信号強度、受信範囲、チャンネル割り当て、送信パワー）を確認及びアップデートすることができる。
【００１３】
実際のＲＦトポロジーは、検査を促進するために、元の設計の上に重ねることができる。フロアプランの上に全ての許可されたアクセスポイントをマップするこのマップと、全チャンネルに渡ってリッスンする全てのアクセスポイントの規則的なＲＦスイープとを結び付けることで、全てのアクセスポイント及びステーションの完全な図を示すことができる。全ての認可されたアクセスポイントのマップとＲＦスイープマップとを比較することで、不良アクセスポイントを検出して場所を探すことが可能となる。同様に、全ての許可されたユーザーをＲＦスイープマップから検出されるユーザーと比較することで、不良ステーションを検出して場所を探すことが可能となる。不良アクセスポイント又はステーションは、アクセスポイントから三角測量することができる。
【００１４】
図１は、ＷＬＡＮ１００の展開例を示す。分配システム１１０は、第一の分配システムスイッチＤＳ１  １１２と、第二の分配システムスイッチＤＳ２  １１４と、第一の分配システムスイッチＤＳ１  １１２と第二の流通分配スイッチＤＳ２  １１４とを接続する分配システムバックボーン１１６とを含む。第一の拡張サービスセットネットワークＥＳＳ１  １２０は、第一の分配システムスイッチＤＳ１  １１２と、アクセスポイントＡＰ１Ａ１２２と、アクセスポイントＡＰ１Ｂ１２４と、アクセスポイントＡＰ１Ｃ１２６と、ステーション１２８とを含む。アクセスポイントＡＰ１Ａ１２２、アクセスポイントＡＰ１Ｂ１２４、及びアクセスポイントＡＰ１Ｃ１２６は、有線リンク１７２，１７４及び１７６によって第一の分配システムスイッチＤＳ１  １１２とそれぞれ接続される。ステーション１２８及びアクセスポイントＡＰ１Ａ１２２は、無線リンク１９２を介して接続され、第一の基本サービスセットネットワークＢＳＳ１  １４０を形成する。第二の拡張サービスセットネットワークＥＳＳ２  １３０は、第二の分配システムスイッチＤＳ２  １１４と、アクセスポイントＡＰ２Ａ１３２と、アクセスポイントＡＰ２Ｂ１３４と、アクセスポイントＡＰ２Ｃ１３６と、ステーション１３８とを含む。アクセスポイントＡＰ２Ａ１３２、アクセスポイントＡＰ２Ｂ１３４、及びアクセスポイントＡＰ２Ｃ１３６は、有線リンク１８２、１８４及び１８６によって第二の分配システムスイッチＤＳ２  １１４とそれぞれ接続される。ステーション１３８及びアクセスポイントＡＰ２Ｂ１３４は、無線リンク１９４を介して接続され、第二の基本サービスセットネットワークＢＳＳ２  １５０を形成する。ステーション１６０は、第一の拡張サービスセットネットワークＥＳＳ１  １２０のアクセスポイントＡＰ１Ｃ１２６と第二の拡張サービスセットネットワークＥＳＳ２  １３０のアクセスポイントＡＰ２Ａ１３２との間でデータが伝達される途中にあり、従って、アクセスポイントＡＰ１Ｃ１２６及びアクセスポイントＡＰ２Ａ１３２への二つの無線リンク１９６及び１９８とそれぞれ関連付けられる。
【００１５】
図２は、ＷＬＡＮを管理する方法の一例を示す。２１０において、ＷＬＡＮの現場に関するフロアプランデータが受け取られる。該フロアプランデータは、電磁波（radio frequency）減衰要因と関連し得る物体を有する。例えば、壁、窓、ドア及びキュービクルは、ＲＦ信号を吸収する。異なる素材は、異なる減衰要因を有する。減衰要因は、８０２．１１ａ又は８０２．１１ｂなどのＷＬＡＮの技術標準にも依存し得る。フロアプランデータは、取り込まれ、及び／又は、コンピュータを介して手動で取り出され得る。取り込むことができるファイルの種類の例は、以下の通りである。：オートＣＡＤ図面（ＤＷＧ）、図面交換フォーマット（ＤＸＦ）、画像交換フォーマット（ＧＩＦ）、及び／又は、ジョイントフォトグラフエキスパートグループ（ＪＰＥＧ）。ＤＷＧやＤＸＦなどのＣＡＤ図面は、適当に縮尺され寸法的に正確なフロアプランのデータなどのように利点を有することが可能であり、；ベクトルグラフィックに基づいた図面、及び／又は、レイヤーによってグループ分けされ及び／又は整理された図面オブジェクトで、壁、ドア及び／又は窓などの同様な物体の表示及び／又は操作を可能とする。
【００１６】
物体は、フロアプランデータにグラフィックで配置され、障害物の種類及び減衰要因を割り当て可能である。また、障害物の種類及び減衰要因は、ＣＡＤ図面の中の物体に割り当て可能である。これらの値は、ネットワークの受信範囲の計算を行う際に用いることができる。物体は、手動で作成することも可能である。図面が完全に正確でない場合には、図面に含まれていないフロアプランデータの変更を反映すべく、物体を追加可能及び／又は削除可能である。物体をグループ分けすることは有益である。例えば、一つの減衰要因を一つのエリアに対して適用可能である。便宜上、ＣＡＤ図面のレイヤーの中の全ての物体を物体に変換することができ、いかなる図面のエリアの全ての物体も物体に変換することができ、図面の中の複数の物体を物体に変換することができ、及び／又は、いかなる図面の中のグループ分けされた物体もＲＦ障害物に変換することができる。
【００１７】
アクセスポイントが部分的な壁又は他の垂直面に置かれる場合、正確に予測される受信範囲をモデルするために、部分的な壁又は他の垂直面などは、例えば１００ｄＢの減衰を伴う完全な壁として扱うことができる。同様に、他のモデルにも、より低い又はより高い減衰などを適用することができる。
【００１８】
２２０において、ＷＬＡＮの現場に関する受信範囲データが受け取られる。該受信範囲データは、ＷＬＡＮアクセスポイントによって提供される現場の受信範囲エリアを示すことができる。受信範囲データは、少なくともフロアプランデータによって示すことができる。受信範囲データは、ＷＬＡＮの技術標準に依存することができる。受信範囲エリアは、ＷＬＡＮの一つ又は複数の技術標準をサポートすることができ、；同様に、複数の受信範囲エリアは、ＷＬＡＮの一つ又は複数の技術標準をサポートすることができる。受信範囲エリアは、部分的に又は完全に重複することができる。受信範囲エリアには、受信範囲エリアにおける典型的なクライアント用の平均的な好ましい接続レートなど、より多くの特性を与えることができ、ステーションスループット（送信、受信、又は、送信及び受信の組み合わせ）は、平均的な好ましい接続レートを超えるべきではない。
【００１９】
２３０において、ＷＬＡＮ用の現場に関するキャパシティデータが受け取られる。該キャパシティデータは、ＷＬＡＮアクセスポイントに提供されるステーション用の一つ以上のスループットレートを含むことができる。スループットレートの例としては、８０２．１１ｂ用の１Ｍｂｐｓや、８０２．１１ａ用の５Ｍｂｐｓが挙げられる。前記キャパシティデータは、ＷＬＡＮアクセスポイントによって提供されるステーション用の一つ以上の平均的な好ましい接続レートを含むことができる。キャパシティデータは、ＷＬＡＮアクセスポイントによって提供される一つ又はそれより多いステーションの数量を含むことができる。数量は、例えば、ＷＬＡＮアクセスポイントによって提供される動作中のステーション、及び／又は、ＷＬＡＮアクセスポイントによって提供されるステーションの総数によって特徴付けることができる。数量は、例えば、ステーションの数及び／又は比率として表現することができる。比率の例としては、全てのクライアントに対する動作中のクライアントの比率が挙げられる。例えば、比率５：１は、統計的に、クライアントの２０パーセントが常時動作中であることを示す。
【００２０】
ある具体例においては、接続データを受け取ることが可能である。少なくとも該接続データに基づいて、ＷＬＡＮアクセスポイントの数量、配置、及び設定を決定することができる。接続データは、ＷＬＡＮアクセスポイントに許容されるチャンネルを含むことができる。あるチャンネルを受信範囲エリア内で完全に回避する必要がある場合には、そのような制限を定義することができる。例えば、雑居ビルの契約では、他のテナントのためのチャンネルの排他的なサブセットが必要となり得る。ある特定のＷＬＡＮアクセスポイントのために、チャンネル割り当てプロセスは、少なくともそれらの特定のアクセスポイントの至近距離において、自動的にそれらの特定のアクセスポイントのチャンネルを回避することができる。これにより、制限されたチャンネルのリストを不要にすることができる。
【００２１】
接続データは、ＷＬＡＮアクセスポイントのビーコンのための一つ以上の最低レート、及び／又はＷＬＡＮアクセスポイントのプローブ反応のための一つ以上の最低レートを含み得る。最小送信レートは、ビーコン及び／又はプローブ反応のための最小のデータ転送速度であり得る。最小送信レートは、アクセスポイント間のより速いローミングを容易にすることができる。一つのシナリオでは、８０２．１１ｂの機器は、例えば２Ｍｂｐｓより高い送信レート又は最小の送信レートでビーコンを送信することができる。他のシナリオでは、８０２．１１ａの機器は、例えば２４Ｍｂｐｓより高い送信レート又は最小の送信レートでビーコンを送信することができる。最小送信レートは、無線の形式に依存し得る。８０２．１１ｂの機器用の値の例は、１１，５．５，２，及び１Ｍｂｐｓである。８０２．１１ａの通信機用の値の例は、５４，４８，３６，２４，１８，１２，９，及び６Ｍｂｐｓである。接続データは、ドメイン、及び／又は、この受信範囲エリアとアクセスポイントを共有している他の受信範囲エリアをも含むことができる。
【００２２】
２４０において、少なくともフロアプランデータ、受信範囲データ、及びキャパシティデータに基づいて、ＷＬＡＮアクセスポイントの数量、配置、及び設定が決定される。
【００２３】
ＷＬＡＮアクセスポイントの設定は、ＷＬＡＮアクセスポイントのマルチホーミングを含むことができる。ＷＬＡＮアクセスポイントの設定は、ＷＬＡＮアクセスポイントのパワーレベルを含むことができる。送信パワーレベルなどのパワーレベルは、エリアを十分カバーするのには十分に高くなければならないが、同一チャネル干渉を減少させるのを促進すべく、高すぎるべきではない。前記設定は、ＷＬＡＮアクセスポイントのチャンネル割り当てを含むことができる。
【００２４】
ＷＬＡＮアクセスポイントの配置は、コンピュータを介して手動で調整可能であり得る。少なくともＷＬＡＮのそのような手動で調整された配置に基づいて、ＷＬＡＮアクセスポイントの数量、及び／又は設定を決定することができる。また、少なくとも一つのＷＬＡＮアクセスポイントのそのような手動で調整された配置に少なくとも基づいて、少なくとも一つの他のＷＬＡＮアクセスポイントの配置を決定することができる。さらに、少なくとも一つのＷＬＡＮアクセスポイントのそのような手動で調整された配置に少なくとも基づいて、受信範囲データ、及び／又はＷＬＡＮ現場のキャパシティデータを決定することができる。アクセスポイントの追加／除去／移動による手動調整は、ＷＬＡＮアクセスポイントのＲＦ受信範囲における受信範囲の穴をより適切にカバーするのに役立てることができる。
【００２５】
ある具体例において、ＷＬＡＮアクセスポイントの少なくとも数量及び配置が表示される。
【００２６】
また、ＷＬＡＮアクセスポイントの数量、及び／又は設定は、コンピュータを介して手動で調整可能であり得る。少なくともそのような手動調整に基づいて、ＷＬＡＮアクセスポイントの配置、数量、及び／又は設定を決定することができる。また、少なくともそのような手動調整に基づいて、受信範囲データ、及び／又はＷＬＡＮ現場のキャパシティデータを決定することができる。受信範囲エリアを画定する場合には、受信範囲エリアが外部の壁の内側にまで及ぶか、あるいは、該受信範囲エリアに対していくつのアクセスポイントが必要であるかを計算するときに外部の壁を計上することができる。ある具体例において、外部の壁が受信範囲エリアに含められているとしても、アクセスポイントの計算は、外部の壁を除外すべく、自動的に受信範囲エリアを切り捨てることができる。
【００２７】
ある具体例において、既存のアクセスポイントデータが受け取られ得る。少なくとも既存のアクセスポイントデータに基づいて、ＷＬＡＮアクセスポイントの数量、配置、及び／又は設定を決定することができる。
【００２８】
ＷＬＡＮアクセスポイントの数量、配置、及び設定に少なくとも基づいて、及び／又は、ＷＬＡＮの現場、ＷＬＡＮアクセスポイントの数量、ＷＬＡＮアクセスポイントの配置及び／又はＷＬＡＮアクセスポイントの設定に関しての、フロアプランデータに対する一つ以上の変更に少なくとも基づいて、作業指示データを生成可能である。該作業指示データは、ＷＬＡＮアクセスポイントの導入手順、及び／又は、ＷＬＡＮアクセスポイントを接続する一つ以上の分配システムスイッチの導入手順を含むことができる。
【００２９】
ある具体例では、ワイヤリングクローゼットデータを受け取ることができる。該ワイヤリングクローゼットデータは、一つ以上の分配システムスイッチ及び／又はＷＬＡＮ用の現場における他のネットワーク機器の一つ以上の位置を示すことができる。分配システムスイッチは、ＷＬＡＮアクセスポイントを接続する。ワイヤリングクローゼットデータに少なくとも部分的に基づいて、ＷＬＡＮアクセスポイントの数量、配置、及び／又は設定を決定することができる。一つ以上の分配システムスイッチとＷＬＡＮアクセスポイントとの間の接続を決定することができる。ワイヤリングクローゼットデータには、ＷＬＡＮアクセスポイントに対して豊富な接続データを含ませることができる。分配システムスイッチの数量、配置、及び／又は設定は、フロアプランデータ、受信範囲データ、及び／又はキャパシティデータに少なくとも基づいて決定することができる。これにより、アクセスポイントとそれらのそれぞれの流通システムスイッチとの間のＵＴＰ  ＣＡＴ５ケーブル距離（cabling distance）が、例えば１００メートル又は３３０フィートを超えないことが保証される。ＷＬＡＮ現場でＷＬＡＮアクセスポイントを接続している一つ以上の分配システムスイッチの数量、配置、及び／又は設定は、少なくとも測定されたＷＬＡＮデータに基づいて変更することができる。アクセスポイントのデュアルホーミングがサポートされ、；同じ又は異なる分配システムスイッチを用いることができる。
【００３０】
ローミングユーザーをサポートすべく協働する分配システムスイッチのグループは、ドメインである。あるドメインにおいて、一つの分配システムスイッチを種の機器と定義することができ、それは、該ドメインにおいて定義された分配システムスイッチに情報を分配することができる。前記ドメインは、ネットワーク接続性を途絶させることなく、ユーザーがある分配システムスイッチから他の分配システムスイッチへ地理的にローミングするのを可能とすることができる。ユーザーがある位置から他の位置に移動するとき、サーバーに対するそれらの接続が変わらないかのようである。ユーザーがドメインの分配システムスイッチと接続するとき、彼らは、認可されたアイデンティティを通してＶＬＡＮのメンバーとして接続する。ユーザーのためのネイティブのＶＬＡＮが、彼らが接続する分配システムスイッチに存在しない場合には、分配システムスイッチは、そのＶＬＡＮにトンネルを作る。
【００３１】
様々な具体例におけるコンピュータコードは、ハードウェア、ソフトウェア、又はハードウェア及びソフトウェアの組み合わせにおいて実行することができる。
【００３２】
図３は、プログラムメディア３２０に格納されたコードによって少なくとも部分的にプログラムされるコンピュータ３１０を示す。プログラムメディア３２０は、コード３２５の少なくともいくつかをコンピュータ３１０に配置するのに用いられる。
【００３３】
図４は、ネットワーク４３０からのコードによって少なくとも部分的にプログラムされるコンピュータ４１０を示す。ネットワーク４３０は、コンピュータ４１０にコードを配置するのに用いられる。
【００３４】
コードを実行するコンピュータは、分配スイッチ、アクセスポイント等々のネットワーク要素に統合可能、若しくは、それらと分離可能である。
【図面の簡単な説明】
【００３５】
【図１】図１は、ＷＬＡＮの展開例を示す。
【図２】図２は、ＷＬＡＮのプランニング方法の例を示す。
【図３】図３は、プログラムメディアからプログラムされたコンピュータを示す。
【図４】図４は、ネットワークからプログラムされたコンピュータを示す。
【図１】
2007506376.tif 000002
【図２】
2007506376.tif 000003
【図３】
2007506376.tif 000004
【図４】
2007506376.tif 000005
【国際調査報告】
2007506376.tif 000006